Podtech/llm-jp-corpus-v4-ja_patent huggingface dataset:
(57)【要約】      （修正有）【課題】  従来，マット紙の斜め切りの小口（切り口）部分は，単色しかも白色のものがく，このため用途が限られていた。  小口（切り口）が筋状にカラ−帯化され，美しく，丈夫で重厚感があり，多種多様な用途に向くマット紙を提供する。【解決手段】  同一サイズの，厚めのカラ−ケント紙を中に挟み込み，厚めのクラフト紙で重ね合わせた紙質の板状材を，適当な形とサイズの斜め切りの小口（切り口）を設けることにより，小口（切り口）が筋状にカラ−帯化され，美しく，丈夫で重厚感のあるマット紙であることを特徴とする。  写真や絵画等の美術品を額装する際，それにふさわしいカラ−帯を有するマット紙を選択することにより，従来のものとは異なった感じの作品として額装することが期待できる。【選択図】図１
0003117645.tif 000002
【実用新案登録請求の範囲】
【請求項１】
同一サイズの，厚めのクラフト紙及び厚めのケント紙の，少なくとも３枚の紙質の板状材を貼り合わせて作るマット紙で，
（１）厚めのケント紙を中に挟み込み，両側を厚めのクラフト紙で糊付けして，３枚重ねの板状材を形成する。
また，５枚重ねのマット紙の場合は，クラフト紙とケント紙を交互に重ね合わせる。
（２）（１）の板状材の中央部を中心として，適当な形とサイズの斜め切りの小口（切り口）を設ける。
以上の構成からなる丈夫で重厚感のあるマット紙。
【請求項２】
請求項１記載の，少なくとも３枚の紙質の板状材を貼り合わせて作るマット紙において，
（１）厚めのケント紙は，カラ−ケント紙とする。
（２）クラフト紙に，（１）のカラ−ケント紙を挟み込み，適当な形とサイズに斜め切りすることにより，小口（切り口）に筋状のカラ−帯を設ける。
以上の構成からなる，小口（切り口）が筋状にカラ−帯化され，美しく，丈夫で重厚感のあることを特徴とする請求項１記載のマット紙。
【考案の詳細な説明】
【技術分野】
【０００１】  この考案は，写真や絵画等の美術品を額装する際に使用するマット紙の斜め切り小口（切り口）部分に，カラ−ケント紙を挟み込むことによって，筋状のカラ−帯を形成することにより，美しいカラ−小口（切り口）を有した，丈夫で重厚感のあるマット紙に関するものである。
【背景技術】
【０００２】  従来，マット紙の斜め切りの小口（切り口）部分は，単色しかも白色のものが多かった。
【考案が解決しょうとする課題】
【０００３】  これらは，次のような問題点があった。
マット紙の斜め切りの小口（切り口）部分は，単色しかも白色のものが多いため，用途が限られていた。
本考案は，以上の欠点をなくし，多種多様な用途に向くように考えたものである。
【課題を解決するための手段】
【０００４】（１）同一サイズの，厚めのクラフト紙及び厚めのカラ−ケント紙の，少なくとも３枚の紙質の板状材を用意する。
（２）カラ−ケント紙を中に挟み込み，両側をクラフト紙で糊付けして，３枚重ねの板状材を形成する。
また，５枚重ねのマット紙の場合は，クラフト紙とケント紙を交互に重ね合わせる。
（３）（２）の板状材の中央部を中心として，適当な形とサイズの斜め切りの小口（切り口）を設ける。
（４）これらにより，小口（切り口）が筋状にカラ−帯化され，美しく，丈夫で重厚感のあるマット紙が形成される。
【考案を実施するための最良の形態】
【０００５】  以下，本考案を実施するための最良の形態について説明する。
（１）写真や絵画等の美術品を額装する際，それにふさわしいカラ−帯を有するマット紙を選択する。
（２）場合によっては，５枚重ねのマット紙を使用し，カラ−帯の色の変化を楽しむこともできる。
【考案の効果】
【０００６】  写真や絵画の愛好者が増えている。
しかし，これらを飾ったり人にあげるため額装する際，簡単に，安全に，経済的に使用できるマット紙は見当たらない。
本考案のカラ−小口（切り口）を有したマット紙は，写真等を見る楽しみ，飾る楽しみ，人にあげる楽しみを，より大きくするために考えたものである。
また，本考案の応用例としては，カラ−小口（切り口）を設けることなく，平坦なカラ−ボ−ド（台紙）としても使用できる。
この場合，カラ−ケント紙を中に挟み込んでいるため，周囲の切り口が筋状にカラ−帯化され，美しく，丈夫で重厚感のあるカラ−ボ−ド（台紙）となる。
【図面の簡単な説明】
【０００７】
【図１】  本考案のマット紙の正面図である。
【図２】  本考案のマット紙の側面図である。
【符号の説明】
【０００８】  １  クラフト紙          ２  カラ−ケント紙
【図１】
0003117645.tif 000003
【図２】
0003117645.tif 000004
(57)【要約】      （修正有）【課題】個室などでクラッシックギターを練習する場合の奏音が前方に発散するのを防ぎ、奏者がより高い音量で微妙な音質を鑑賞できるようにするサウンド・リフレクターの提供。【解決手段】市販の譜面台に軽量の奏音反射器サウンド・リフレクターを取り付けたものである。【選択図】図２
0003117642.tif 000002
【実用新案登録請求の範囲】
【請求項１】
（イ）肉薄軽量のプラスチックまたは木板等でできたお椀状の物。
（ロ）お椀状の物を譜面台に簡単に着脱可能にする軽量金具。
以上の如く構成された、クラッシックギター奏音反射器。
【考案の詳細な説明】
【考案の詳細な説明】
【利用分野】
【０００１】この考案はギター奏者が音色をより楽しめるようにするためのものである。
【従来の奏音】
【０００２】従来の普通の奏音は前方に発散するため、奏者側に聞こえる音色が減失する欠点がある。
【考案が解決しようとする問題点】
【０００３】本案は、個室などでクラッシックギターを練習する場合、奏音が前方に発散するのを防ぐためにリフレクターを使い、奏者側でより高い音量で微妙な音質を鑑賞できるようにするものであり、これによって練習成果の増進が図れる。
【問題を解決するための手段】
【０００４】（イ）軽量の薄板でできた大きなお椀状の奏音リフレクターを用意る。（図１））
（ロ）リフレクターには市販の譜面台に簡単に着脱できる金具を有する。（図２）
（ハ）またこの金具は、奏者に反射音が最も良く聞こえるように、リフレクターの高さと角度を調節するためにも使う。
【考案の効果】
本案は、市販の譜面台に取り付け可能な奏音リフレクターであり、ギターの練習を一層楽しいものにできる。
【図面の簡単な説明】
【図１】本考案のリフレクターの正面図
【図２】本考案のリフレクターを譜面台に取り付けた状態
【符号の説明】
１リフレクター
２譜面台
３リフレクター取り付け調節金具
【図１】
0003117642.tif 000003
【図２】
0003117642.tif 000004
(57)【要約】【課題】着けはずしが簡単で装着感が良く、就寝時における首周りの保温、特に咽の保護が確保でき尚且つファッション性の高いネックウォーマーの提供。【解決手段】ネックウォーマーを帯状の形にして装着方法を止め輪に通して止める事により自由にサイズ調整が出来るようにする。又本体部分は２種類の素材を張り合わせる方法を取り、肌に触れる裏面には綿やシルク等の素材を使い、表面にはフリース等ファッション性に富んだ生地を使用する事により課題を全てクリアする事が出来る。【選択図】図１
0003117644.tif 000002
【実用新案登録請求の範囲】
【請求項１】
帯状に形成した本体と、この本体の一端側に設けられこの本体の他端側を挿通して掛止する止め輪とから構成し、本体を首周りに巻きつけて装着するとともに止め輪の部分に本体を通すことにより、付けはずしが簡単でサイズ調整が自由なネックウォーマー。
【請求項２】
ネックウォーマーの本体の少なくとも一面側の素材は綿などの自然植物素材やシルク等を使用することによって、素肌に負荷がかかりにくくした請求項１に記載のネックウォーマー。
【考案の詳細な説明】
【技術分野】
【０００１】本考案は首周りを保温するために首に巻くネックウォーマーに係わるものである。
【背景技術】
【０００２】従来、この種のネックウォーマーはリング状になった製品が多く、生地の伸縮性を利用して頭からかぶり、首周りに装着する方法が主流である。起床時の想定で防寒及びファッション性が優先されておりアクリルやウール素材等を使用した製品が多く、肌の弱い人や、就寝時には装着感が悪く不向きである。寒い夜や風邪でのどが痛い時等の睡眠時に不快無く使用出来るネックウォーマーを提供する。
【考案の開示】
【考案が解決しようとしている課題】
【０００３】生地の伸縮でのサイズ調整では密着度（しめつけ、ゆるみ感）での不快感や固定止め（釦やマジックテープ等）では融通性がきかない等睡眠時には問題点が多い。
【０００４】就寝時に首周りの保温性を確保でき、装着感が良好であるとともに、つけはずしが簡単で起床時にも外観的にすぐれたファッション性の高いネックウォーマーを提供する。
【課題を解決するための手段】
【０００５】リング状ではなく帯状のネックウォーマーを首周りに巻きつけて装着するとともに、止め輪の部分に本体の先端部分を通す事により、着けはずしが簡単でサイズ調整が自由になるネックウォーマーにする。
【０００６】このネックウォーマーは肌に直接触れる本体の裏面には綿等の自然植物の素材やシルク等を使用して肌に対する負荷を減らす。
【０００７】表面にはファッション性に富んだアクリルやウール素材等の生地を使用する。はり合せる方法は縫製が主であるが表面と裏面が取り外しできるよう釦やホック、マジックテープ等で合せることも可能である。
【考案の効果】
【０００８】帯状タイプでも釦やマジックテープ等で止める装着方法では固定式となる為サイズ調節の自由度が狭い。本考案のネックウォーマーは止め輪の部分に通す装着方法にする事でサイズ調節が自由に出来、課題にあったリング状のネックウォーマーの密着度による不快感も解消され、快適に使用する事が可能となる。併せて頭からかぶる場合の髪の乱れも防げる効果がある。
【０００９】肌に直接触れる裏面部分を綿等の自然植物繊維やシルクを使用する事により保温と同時に爽快感を与える事が出来、又皮膚の弱い人にも適している。特に綿素材は吸汗性に優れており発熱時の咽の保護や寒い夜、首に巻いての睡眠時には特に効果がある。
【００１０】表面にはファッション性の高い素材を利用する事により外観的にもすぐれたネックウォーマーになり起床時にはおしゃれを楽しむ事が出来る。
【考案を実施するための最良の形態】
【００１１】以下に本考案を図面に基づき説明する。図１から図４に本考案の実施例を示す。
【実施例】
【００１２】図１の１が本考案の製品そのものであり１ｃ先端部分を１Ｂの止め輪に通し装着する。装着した状態が図３に示されている。本考案の装着方法はサイズ調整が自由に出来る為、装着感が良好である。【００１３】図２が本考案のもう一つの特徴である表裏が異素材の組み合わせである事を示す図である。図４が貼りあわせた断面で素材が違う事を示している。重要な事は肌に触れる１ｄには綿等自然素材を使用する。よって本考案は就寝時の着用に効果を発揮するものである。表面にはフリースやアクリル、ウール素材等ファッション性に富んだ生地を使用する事でおしゃれなネックウォーマーになり起床時にも有効である。貼り合わせ方は１ｃと１ｄを縫製、又は釦、ホック、マジックテープ等で止める方法等色々ある。
【産業上の利用可能性】
【００１２】本来ネックウォーマーは防寒おしゃれ小物として販売されているが、本考案商品は加えて薬局などでも販売される事が可能であり販路が広がる。
【図面の簡単な説明】
【図１】ネックウォーマーの全体図を立体的に描いた図である。
【図２】ネックウォーマーの全体図を平面的に描いた図である。
【図３】ネックウォーマー装着時の状態を表す図である。
【図４】ネックウォーマーの裏表で素材が違う事を示した断面図である。
【符号の説明】
１    ネックウォーマー
１Ａ  ネックウォーマーの本体
１Ｂ  止め輪
１ｃ  表面生地
１ｄ  裏面生地
【図１】
0003117644.tif 000003
【図２】
0003117644.tif 000004
【図３】
0003117644.tif 000005
【図４】
0003117644.tif 000006
(57)【要約】      （修正有）【課題】薬事法に基づく家庭用永久磁石磁気治療器として磁気効果を備えた肌触りのよい永久磁石付ショーツ及びブリーフの提供。【解決手段】肌触りのよい磁性体付ショーツおよびブリーフは、ショーツ布地１またはブリーフ布地６と永久磁石３より形成される。前記ショーツ布地１またはブリーフ布地６と永久磁石３は熱圧接により一体化された製品として形成される。【選択図】図１
0003117648.tif 000002
【実用新案登録請求の範囲】
【請求項１】
磁力線を放射する永久磁石を適宜に取付けた家庭用永久磁石磁気治療器としても認可をもつ女性用ショーツ。
【請求項２】
磁力線を放射する永久磁石を適宜に取付けた家庭用永久磁石磁気治療器としても認可をもつ男性用ブリーフ。
【考案の詳細な説明】
【技術分野】
【０００１】  本考案は、日常的に健康増進を図ることを目的としたもので、薬事法が認める永久磁石磁気治療器としての機能を有し、装着部位のこり及び血行を改善し得るショーツ及びブリーフに関するものである。
【背景技術】
【０００２】  下半身、特に腰部や陰部は冷え等に曝されやすいがこれといった保護材はなくせいぜい腰ベルト位であるが面倒なこともあり普及は今ひとつである。面倒なく日常的に簡単に身に付けられるもの、例えばパンツ等下着に血行促進材料として定評がある永久磁石を貼り付けることができれば利便性この上ないことである。
【考案の開示】
【考案が解決しようとする課題】
【０００３】  接着剤等を使用した磁性体の取付方法では、着用中に磁性体が脱落する可能性が否めない。また、磁性体を二枚の生地の間に散在させ、その周りを磁性体を囲いこむように縫い合わせる工法は、ミシンの針に磁石が付着するなど作業に手間が掛かるためコストがかかり量産化を図る上で無理がある。
【課題を解決するための手段】
【０００４】  ショーツ又はブリーフの裏面を広げ、ホットメルト材を両面に塗布した円形又は楕円形の生地（覆布）を所定の位置に貼り付け、その上に永久磁石を１個又は複数個置き、更に下面にホットメルトを塗布した円形又は楕円形の生地（覆布）を永久磁石を挟みこむ形に置き、ホットプレス機で十数秒間圧接する。因みにホットプレス機の圧接温度は２００℃前後が適当である。【０００５】  上記、永久磁石取付位置は腰部及び腿（もも）付け根とし、前面６個、後面６個計１２個、又は前面６個に後面２個計８個が身につける関係上重量的、経済的に勘案すると適切と思われる。
【考案の効果】
【０００６】  本考案に係わる磁力線を放射する１２個及び８個の永久磁石を取り付けたショーツ及びブリーフは、家庭用永久磁石磁気治療器として厚生労働省より平成１７年１月に認可済である。【０００７】  本考案に係る、磁力線を放射する永久磁石を取付けた磁気治療器としての機能を有するショーツ及びブリーフは、永久磁石を布地で覆うことにより違和感がなく肌触りがよい。磁力線を放射する永久磁石の作用により使用中に体調を整え、年間を通じ装着部位のこり及び血行の改善を図ることができる。【０００８】  さらに、磁性体を布地で覆うことにより、洗濯の際に磁性体が他の洗濯物を傷める可能性をなくす。【０００９】  さらに、前記磁力線を放射する永久磁石を取付けた磁気治療器としての機能を有するショーツ又はブリーフは、「股（また）部分」に吸水パットを設けることにより、失禁又は軽失禁ケアパンツとして使用することができる。
【考案を実施するための最良の形態】
【００１０】  図１は、ショーツ腰脇部分に磁力線を放射する永久磁石６個を熱圧接で取付けたショーツ１２個タイプを示す正面図。  図２は、同じく磁気治療器としての機能を有する永久磁石６個を腰及び腿（もも）付け根に熱圧接で取付けたショーツの１２個タイプ裏面図。  図３は、ショーツ腰脇部分に熱圧接により磁力線を放射する永久磁石６個を取付けたショーツ８個タイプを示す正面図。  図４は、同じく磁気治療器としての機能を有する永久磁石２個を腰部に熱圧接で取付けたショーツ８個タイプ裏面図。  図５は、ブリーフ腰脇部分に磁力線を放射する永久磁石６個を熱圧接で取付けたブリーフ１２個タイプを示す正面図。  図６は、同じく磁気治療器としての機能を有する永久磁石６個を腰及び腿の付け根に熱圧接で取付けたブリーフ１２個タイプ裏面図。  図７は、ブリーフ腰脇部分に熱圧接により磁力線を放射する永久磁石６個を取付けたブリーフ８個タイプを示す正面図。  図８は、同じく磁気治療器としての機能を有する永久磁石２個を熱圧接で取付けたブリーフ８個タイプ裏面図。【００１１】  本考案に係る、磁力線を放射する永久磁石を取付けた磁気治療器としての機能を有するショーツ及びブリーフは、図１から図８に示すようにショーツ布地１又はブリーフ布地６と、圧接用カバー布地−覆布−２、４、５より形成される。【００１２】  永久磁石３は、図１から図８に示すようにショーツ布地１またはブリーフ布地６に略整列状にホットメルトタイプの圧接用カバー布地−覆布−２、４、５を介して取付けられているもので、永久磁石３は体調を整え、装着部位のこりや血行を改善する効果を有するものである。
【図面の簡単な説明】
【００１３】
【図１】は、ショーツに熱圧接により磁力線を放射する永久磁石６個を一体化して取付けたショーツ１２個タイプを示す一部を破断した正面図。
【図２】は、同じく磁気治療器としての機能を有する永久磁石６個を一体化して取付けたショーツ１２個タイプの裏面図。
【図３】は、ショーツに熱圧接により磁力線を放射する永久磁石６個を一体化して取付けたショーツ８個タイプを示す正面図。
【図４】は、同じく磁気治療器としての機能を有する永久磁石２個を一体化して取付けたショーツ８個タイプの裏面図。
【図５】は、ブリーフに熱圧接により磁力線を放射する永久磁石６個を一体化して取付けたブリーフ１２個タイプ正面図。
【図６】は、同じく磁気治療器としての機能を有する永久磁石６個を一体化して取付けたブリーフ１２個タイプの裏面図。
【図７】は、ブリーフに熱圧接により磁力線を放射する永久磁石６個を一体化して取付けたブリーフ８個タイプ正面図。
【図８】は、同じく磁気治療器としての機能を有する永久磁石２個を一体化して取付けたブリーフ８個タイプの裏面図。
【符号の説明】
【００１５】  １    ショーツ布地  ２    永久磁石圧接用覆布▲１▼  ３    永久磁石  ４    永久磁石圧接用覆布▲２▼  ５    永久磁石圧接用覆布▲３▼  ６    ブリーフ布地
【図１】
0003117648.tif 000003
【図２】
0003117648.tif 000004
【図３】
0003117648.tif 000005
【図４】
0003117648.tif 000006
【図５】
0003117648.tif 000007
【図６】
0003117648.tif 000008
【図７】
0003117648.tif 000009
【図８】
0003117648.tif 000010
(57)【要約】      （修正有）【課題】器具の形状が手に馴染みやすく、手頃な重量感を有しているので、大根をしっかり保持出来るため、安心して力を掛ける事が出来、また大根などのぬめりや冷たさ防ぐので、その面からも精神的、肉体的苦痛が軽減され、手頃なおろし作業が可能な大根おろし器を提供する。【解決手段】手に馴染みやすい形状と重量を備えた本体の大根と接する面に大根を確保するための多数の釘状突起を設ける。作業の安定感、労力の効果的な伝わり方を最適な状態にするため、本体の厚み、形状および重量、突起の長さ、太さおよび本数等の設定に独自の特徴を持たせたものである。【選択図】図２
0003117650.tif 000002
【実用新案登録請求の範囲】
【請求項１】
おろし作業の安定性を高め、作業労力の軽減を図るため、円筒形、円盤形ないしはこれを基本とし、手ごろの重量と厚みを備えた握り部の大根押し当て面に、必要数の大根確保のための釘状突起を儲けた、簡便おろし器。
【考案の詳細な説明】
【技術分野】
【０００１】  この発明は大根おろし作業の際、この器具を使用することにより、この器具が備える適度の重量と、この器具が生み出す安定感により、おろし作業の労力の軽減と安全性の確保を図るものである。
【背景技術】
【０００２】  大根を押さえるための器具に関しての開発は、僅かながら認められるが、機構が複雑過ぎたり、または大根との一体感が乏しく力が入り難い等、いずれも実用性に欠ける。
【考案の開示】
【考案が解決しようとする課題】
【０００３】  家庭において特に高齢者は、日ごろ大根、山芋等のおろし作業の際、従来出回っている多くのおろし器（おろし皿）に対し、疲れる、危ない等の不満、不足を抱きつつも、諦めているのが現況である。昨今電動式のおろし機具等も多く開発されているが、一般家庭において、特に高齢者にとっては馴染めない上、使用後の洗浄作業等の煩雑さも伴うため、ほとんど活用されていないのが現状である。この発明は大根の保持を、より安定させることにより、傷害等の不安も去り、安心して力を集中できるため、労力も軽減しかつ大根等の冷たさも緩和される。
【課題を解決するための手段】
【０００４】  手に馴染みやすい形状と重量を備えた本体の、大根と接する面に、大根を確保するための多数の釘状突起を設ける。作業の安定感、労力の効果的な伝わり方を最適な状態にするため、本体の厚み、形状および重量、突起の長さ、太さおよび本数等の設定に、独自の特徴を持たせたものである。
【考案の効果】
【０００５】  器具の形状が手に馴染み易く、手頃な重量感を有しているので、大根をしっかり保持できるため、安心して力を掛けることができる。また大根等のぬめりや冷たさ防ぐので、その面からも精神的、肉体的苦痛が軽減され、手軽なおろし作業が可能となる。
【考案を実施するための最良の形態】
【０００６】  本体の形状は円筒形もしくはこれの変形を基本とし、本体に木質を用いる場合は、突起部分には竹材等の強固な材質を組み合せる方が適性が高い。素材として合成樹脂を用いる場合は、本体と突起部分を一体整形することが可能である。また木質と合成樹脂との併用も可能である。
おろし作業の効率を上げるために、本体に適度の重量を持たせる方が安定感が高まる。
【実施例】
【０００７】  本体部分の大きさは、円筒形の径を４０〜７０ミリ程度、厚みを２０〜５０ミリ程度に設定するのが最適である。また釘状突起の形状としては、長さを３〜６ミリ、太さを２〜３ミリ程度に設定し、先端を適度に細くしたものを２０〜４０本程度設置するのが最適かつ効果的である。
実際に自家製で試用しているが、大根が短くなってきて疲労感が高まった時期、この器具の効果は大きく、おろし作業も楽しくなる。
【産業上の利用可能性】
【０００８】  家庭用に限られる
【図面の簡単な説明】
【０００９】
【図１】握り部本体を天地逆様に見たもの。
【図２】実施例  大根のサイズが小さくなってきたら、本体と大根を一体化して握るなど、指のかぶせ具合を調節すると、安定感が増し、より効果的である。
【符号の説明】
【００１０】１  大根確保のための突起
２  握り部本体
３  握り部本体
４  大根
５  おろし器
【図１】
0003117650.tif 000003
【図２】
0003117650.tif 000004
(57)【要約】      （修正有）【課題】ポットなどの電気製品のコードをその場に留め、またプラグを抜いた後の邪魔なコードも収納できる留具の提供。【解決手段】吸盤の外側に突起片をもうけ、その突起片に穴を開け、リングを通して形成されるコード留具である。【選択図】図１
0003117607.tif 000002
【実用新案登録請求の範囲】
【請求項１】
吸盤の外側に突起片をもうけ、その突起片に穴を開け、リングを通して形成されるコード留具
【考案の詳細な説明】
【技術分野】
【０００１】  本考案は、電気湯沸かし器等、電気製品のコードの留具に関するものである。
【背景技術】
【０００２】  電気湯沸かし器等についている器具用プラグは、給水の際抜くことが多いが、その際コードごと、テーブルなどから落ちてしまうことがある。【０００３】  また、節電や省エネのため、電気製品の電源プラグを抜くこともあるが、その際コードが、そのまま放置されて邪魔、という問題があった。【０００４】  従来は、コードの留具として、輪ゴムやひも、ベルト状のバンドなどが一般的である。しかしながら、これらには、その場に留める機能はない。この機能を持つものとしては、接着材の付いているテープや、吸盤、磁石などがあげられる。【０００５】  上述の２つの要素を持ったものとして、一般的にクリップの付いた吸盤が市販されている。クリップにはさんで固定するので、前述の問題を解決できるが、はさむという行為から、コードを傷めてしまう危険性があることが容易に推測できる。この他にも、実開平５−４１１８７号公開のコード支持具が知られている。コード挿通部がリング状を成し、吸盤と磁石を使用して固定しているいる点から前述の問題を解決できるが、テーブルや壁面に付ける際、ポール部が邪魔になるという新たな問題が発生する。
【考案開示】
【考案が解決しようとする課題】
【０００６】  本考案は前述の問題を解決するもので、コードをその場に留め、プラグを抜いた後の邪魔なコードも収納できる留具を提供するものである。
【課題を解決するための手段】
【０００７】  吸盤の外側に突起片をもうけ、その突起片に穴を開け、リングを通して形成されるコード留具である。
【考案の効果】
【０００８】  以上説明したように、本考案は、コードやプラグをまとめたり、留めておくことが可能であり、目的を十分解決するものである。
【考案を実施するための最良の形態】  以下、本考案の実施の形態を図面に基づき説明する。【０００９】  図１において、１は吸盤２の中心付近に突起片３をもうけて穴４をあけ、そこにリング５を通してなる留具である【００１０】  上記構成により、図２のように、リング５がポットの器具用プラグ６にひっかかり、落下や、ずれなどを防ぎ、リング５に通すことにより、コードを束ねて収納できる。また吸盤２が付いているので、この状態のまま固定できる。節電などのため抜いた電源用プラグ７もリング５にひっかかるので、吸盤２により、差し込みやすいようにコンセントの近くに付けたり、電気製品自体に付けたり、置いている台の上に付けたり、図３のように、壁面に付けたりと、吸盤がつく所に移動して付けれるのも特徴である。【００１１】  また、吸盤２や、リング５は、目的に対応できるべく、いろいろな色をつけることも可能である。リング５自体も、ゴム輪や金属、ひもであったり、ベルトのようなバンドや飾り編みなど、多様な仕様により変化させることも出来る。吸盤２自体も半球状にこだわらず、四角などの多角体や楕円、といった様々な形も考えられる。吸盤の突起片３や穴４も、図に示す実施例の形状を変更できる等、設計、製作上の問題で対応できるものである。
【図面の簡単な説明】
【００１２】
【図１】  本考案の一実施例を示す断面図
【図２】  同図の使用状態を示す外観図
【図３】  同図の取り付け状態を示す外観図
【符号の説明】
【００１３】  １      留具
２      吸盤
３      突起片
４      穴
５      リング
６      器具用プラグ
７      電源用プラグ
【図１】
0003117607.tif 000003
【図２】
0003117607.tif 000004
【図３】
0003117607.tif 000005
(57)【要約】      （修正有）【課題】複数枚所持しているデザインの似ているワイシャツ、スポーツウエアー等は、畳んでしまうと必要な形状が中に隠れてしまう。目的以外の解きほぐした衣類を所定の位置に戻す為には畳みなおさなければならないことを防止する。【解決手段】衣類に縫製又は粘着により取り付けられる印刷表示若しくは刺繍表示されている文字又は絵記号により表される衣類形状情報表示タグ及びラベルを衣類の襟若しくは購入者が畳んだ衣類を解きほぐさなくても認識出来る場所に取り付ける。【選択図】図５
0003117610.tif 000002
【実用新案登録請求の範囲】
【請求項１】
衣類に縫製又は粘着により取り付けられる衣類形状情報表示タグ及びラベル付き衣類商品であって取り付けられた衣類の形状の情報が文字又は絵記号で印刷表示若しくは刺繍表示されている事が購入者に認識出来る事を特徴とする衣類形状情報表示タグ及びラベル付き衣類商品。
【考案の詳細な説明】
【技術分野】
【０００１】  本考案は、衣類の形状情報表示タグ及びラベル付き衣類商品に関する。
【背景技術】
【０００２】  従来の衣類商品のタグ及びラベルは、サイズ、素材、メーカー名、製造国名、洗濯方法等が記されているが必要な情報は購入者が購入後に必要になる衣類の形状情報である。
【考案が解決しようとする課題】
【０００３】  特にワイシャツ等を折り畳むと、半袖か、長袖か、裾がラウンドかフラットか、袖が通常のボタン式かカフスボタン式かの判別が付き難い。この問題を解決する為には、折り畳み方に工夫をするか、収納方法を考えるしか無く、必要以上に手間と時間がかかる。
【問題を解決する為の手段】
【０００４】  この問題を解決するには衣類に縫製又は粘着により取り付けられる印刷表示若しくは刺繍表示されている文字又は絵記号により表される衣類形状情報表示タグ及びラベルを衣類の襟に付し、目的の衣類が一目で判別出来る事が問題を解決する為の最良の手段である。
【考案の効果】
【０００５】  最近の政府の方針である地球温暖化に伴うエネルギー削減の手段として、冷暖房の節約を国民運動にする動きがある。その流れの一環としてクールビズ、ウォームビズの施策が打ち出され、これからは益々衣類のデザインが多様化してくる。
【０００６】  又、衣類の製造業、販売業にしても他業者と同じ様な商品を販売する現状で、商品の差別化、購入動機の要因になりうる衣類形状情報表示タグ及びラベルは数少ないアイテムになる。
【０００７】更に、購入者にとっても多様化するデザインが一目で判別出来る事と、外出前の無駄な時間節約に衣類形状情報表示タグ及びラベルの効果が支持されれば、これからの購入衣類は全て衣類形状情報表示タグ及びラベル付き衣類に統一する事となる。
【考案を実施する為の最良の形態】
【０００８】  この考案は衣類の形状を文字情報又は絵記号情報を印刷表示若しくは刺繍表示による衣類形状情報表示タグ及びラベルを衣類の襟若しくは購入者が畳んだ衣類を解きほぐさなくても認識できる場所に縫製若しくは粘着により取り付ける事で確認ができる為、最良の形態と言える。
【０００９】  図１は本考案に係わる衣類商品に付設される衣類形状文字情報表示タグの一例を示したものであり、図２は衣類形状絵記号情報表示タグの一例を示したものである。更に、図３は衣類形状文字情報表示ラベルの一例を示したものであり、図４は衣類形状絵記号情報表示ラベルの一例を示したものである。
【産業上の利用可能性】
【００１０】  この考案は今までに無かったものである。この衣類形状情報表示タグ及びラベルを採用する事で、新たな設備投資と雇用創出に役立ち、購入者にとって購入動機が促されると経済効果が期待できる。又、購入者ににしても、無駄な時間の短縮と、出かける前の不必要な精神的イラツキを起こさなくて済む。
【図面の簡単な説明】
【００１１】
【図１】  衣類形状文字情報表示タグ
【図２】  衣類形状絵記号情報表示タグ
【図３】  衣類形状文字情報表示ラベル
【図４】  衣類形状絵記号情報表示ラベル
【図５】  衣類形状文字情報表示タグ付きワイシャツ
【図６】  衣類形状絵記号情報表示タグ付きスポーツシャツ
【図７】  衣類形状文字情報表示ラベル付きワイシャツ
【図８】  衣類形状絵記号情報表示ラベル付きスポーツシャツ
【符号の説明】
【００１２】    Ａ      衣類形状文字情報表示タグ
Ａ−１  衣類形状文字情報
Ｚ      縫製部
Ｂ      衣類形状絵記号情報表示タグ
Ｂ−１  衣類形状絵記号情報
Ｃ      衣類形状文字情報表示ラベル
Ｃ−１  衣類形状文字情報
Ｄ      衣類形状絵記号情報表示ラベル
Ｄ−１  衣類形状絵記号情報
Ｅ      衣類形状文字情報表示タグ付きワイシャツ
Ｅ−１  ワイシャツに付した衣類形状文字情報表示タグ
Ｅ−２  Ｅ−１の拡大図
Ｆ      衣類形状絵記号情報表示タグ付きスポーツシャツ
Ｆ−１  スポーツシャツに付した衣類形状絵記号情報表示タグ
Ｆ−２  Ｆ−１の拡大図
Ｇ      衣類形状文字情報表示ラベル付きワイシャツ
Ｇ−１  ワイシャツに付した衣類形状文字情報表示ラベル
Ｇ−２  Ｇ−１の拡大図
Ｈ      衣類形状絵記号情報表示ラベル付きスポーツシャツ
Ｈ−１  スポーツシャツに付した衣類形状絵記号情報表示ラベル
Ｈ−２  Ｈ−１の拡大図
【図１】
0003117610.tif 000003
【図２】
0003117610.tif 000004
【図３】
0003117610.tif 000005
【図４】
0003117610.tif 000006
【図５】
0003117610.tif 000007
【図６】
0003117610.tif 000008
【図７】
0003117610.tif 000009
【図８】
0003117610.tif 000010
(57)【要約】      （修正有）【課題】詰襟部の開口を防止し、また首まわりの太い生徒であっても上背のあった服を着れる男子用学生服の提供。【解決手段】詰襟部端部のフック係合部を取り外して両端部を少なくとも５ｍｍ以上の間隔を開けて対峙させ、さらに第１ボタン穴の位置を襟付け止まりから少なくとも２５ｍｍ以上、好ましくは３５ｍｍ前後に取り付けてなるフック無し学生服を提供する。【選択図】図１
0003117661.tif 000002
【実用新案登録請求の範囲】
【請求項１】
詰襟学生服において、詰襟部の前中央両端縁にフック係合部を取り外して両端部を少なくとも５ｍｍ以上の間隔を開けて対峙させ、さらに第１ボタンを挿通するボタン穴の位置を、襟付け止まりから少なくとも２５ｍｍ以上、好ましくは３５ｍｍ前後に用いてなることを特徴とするフック無し学生服。
【請求項２】
上記学生服は、第１ボタンの位置が襟付け止まりから少なくとも２５ｍｍ以上、好ましくは３５ｍｍ前後で、第五ボタンの位置がポケット入口と同じ高さにあることを特徴とする請求項１記載のフック無し学生服。
【考案の詳細な説明】
【技術分野】
【０００１】
本考案は、詰襟学生服に関し、さらに詳しくは詰襟部前中央端部にフック係合部取り払った新規なフック無し学生服に関するものである。
【背景技術】
【０００２】
従来の学生服は、詰襟部にカラーを取付て詰襟部先端のホックを係止することで、これらの襟が開口して見苦しくならないように一般的に使用されている。
【０００３】
我が国では、学生服におけるこの詰襟構造は、フック係止を当初から採用しており、また学校内においても見苦しくないようにフックの係止を指導してきている。
【０００４】
服飾業界でも学生服の改良をする場合には、この基本構造は変えることなく、実開平１−１５７１２０号「詰襟学生服の衿部構造」に開示されるように、「詰襟学生服の衿部の上端部分にカラーに替わるトリミングを施した衿部において、衿部内側面を起毛トリコットを形成し、衿裏布の衿部に接する前に接着ファスナーの凸面を取り付け、衿裏布を衿部に着脱自在に設けたことを特徴とする詰衿学生服の衿部構造」が開示されるように、襟カラーの代わりに白色の素材であるトリミングを施したを襟詰め内部に縫い付けたりしている。
【０００５】
あるいは実開昭６３−７１２３号「学生服」に開示されるように、「男子、女子の学生服上着において、前身及び後身の裾部分の折り返し部分を長く設けるとともにこの部分に対応する裏地も長く続け、両者を一旦逢着し、内部に収容し、更に通常位置を逢着すると共に裾先端部分も同様に縫製した学生服」のように、裾端部の改良や身頃の改良等を行っているのが現状である。
【考案の開示】
【考案が解決しようとする課題】
【０００６】
近年の学校生活においては、学生自身がフック係止をする場合に窮屈な場合や、自己主張の為にあえて外す場合が増え、この場合、単にフック部を外すのみでなく第１ボタンを外すケースも多く見られるようになった。
【０００７】
この原因は、第１ボタンの取付位置が襟付け止まりから約２０ｍｍ以内の位置に取り付けられているのが服飾業界の常識となっており、このため単にフックを外すだけでは首回りが窮屈な状態となるケースも多々見受けられるようになった。
【課題を解決するための手段】
【０００８】
本考案者は、かかる課題を解決する為に鋭意研究したところ、第１ボタンの位置を襟付け止まりから特定距離に移すことで、ホック無しでも詰襟が見苦しいほど開口しないことを見出し、本考案の学生服を提供することができた。
【０００９】
即ち本考案の第一は、詰襟学生服において、詰襟部の前中央両端縁にフック係合部を取り外して両端部を少なくとも５ｍｍ以上の間隔を開けて対峙させ、さらに第１ボタンを挿通するボタン穴の位置を、襟付け止まりから少なくとも２５ｍｍ以上、好ましくは３５ｍｍ前後に用いてなることを特徴とするフック無し学生服である。
【００１０】
本考案の第二は、上記学生服は、第１ボタンの位置が襟付け止まりから少なくとも２５ｍｍ以上、好ましくは３５ｍｍ前後で、第五ボタンの位置がポケット入口と同じ高さにあることを特徴とする請求項１記載のフック無し学生服である。
【考案の効果】
【００１１】
本考案の学生服は、上記のように従来必ず付着されていたフック部を取り外し、更に第１ボタンの位置を襟付け止まりから約３５ｍｍ前後に下げたため、詰襟部の先端が開口せず、見た目にもフック係合をしているように見える効果を有する学生服である。
【考案を実施するための最良の形態】
【００１２】
図１は、本考案の学生服を示す全体図である。本考案の学生服は、図２の詰襟部の拡大図に示すように、詰襟部１の先端にはフック部を取り付けていないことを第１の特徴とする。
【００１３】
更に前記詰襟部１の先端の襟付け止まり２から第１ボタンの取り付け距離を少なくとも２５ｍｍ以上、好ましくは３５ｍｍ前後に取り付けることを第２の特徴とする。
【００１４】
この理由としては、従来の学生服が襟付け止まりからの位置が２０ｍｍ前後であり、首まわりの太い学生にとってはフックを外してもなお圧迫感を感ずるために、この第１ボタンを外すことを防止するためである。
【００１５】
ボタンの取り付け位置に着いては、図４に示すように第１ボタンの位置を襟付け止まり２から第１ボタンの取り付け距離を少なくとも２５ｍｍ以上、好ましくは３５ｍｍ前後にする一方、最後の第４、あるいは第５ボタン４をポケット５の入口位置と平行の高さに取り付け、他のボタンは均等に割って取り付けるようにしている。
【図面の簡単な説明】
【００１６】
【図１】本考案学生服の全体を示す正面図である。
【図２】本考案学生服の詰襟部を示す拡大図である。
【図３】他の実施例を示す拡大図である。
【図４】図２の部分拡大図である。
【符合の説明】
【００１７】
１・・・・・詰襟部
２・・・・・襟付け止まり
３・・・・・第１ボタン
４・・・・・第５ボタン
５・・・・・ポケット
【図１】
0003117661.tif 000003
【図２】
0003117661.tif 000004
【図３】
0003117661.tif 000005
【図４】
0003117661.tif 000006
(57)【要約】      （修正有）【課題】ギア盤固定台の回転速度を高め、ギア盤の直径を小さくしても高速回転し、且つペダル踏みを省力化する自転車クランク軸の伝動構造を提供する。【解決手段】自転車クランク軸の伝動構造は、五通管内に内環ギアを設置し、五通管内のクランク軸上に内環ギアを設置し、その五通管１０内のクランク軸２０上に内環ギア１１を対応させた位置には、可動枢設する伝動輪３０と内環ギアを相互に噛み合せる。またクランク軸の一端の軸桿上には可動枢設するギア盤固定台を設置し、そのギア盤固定台上には伝動輪と相互に噛み合う外環ギア４１を設置する。クランク軸上に設置した伝動輪は、クランク軸が回転すると、ギア盤固定台の外環ギアと五通管内の内環ギアのギア数比が異なることによって、ギア盤固定台の回転速度を高め、ギア盤の直径を小さくしても高速回転し、且つペダル踏みを省力化する。【選択図】図１
0003117667.tif 000002
【実用新案登録請求の範囲】
【請求項１】
自転車クランク軸の伝動構造は、主に五通管内に内環ギアを設置し、五通管内のクランク軸に対応させる内環ギアの位置に、可動回転する伝動輪と内環ギアを噛み合わせ、クランク軸の一端の軸桿上には、可動回転するギア盤固定台を設置し、そのギア盤固定台上に伝動輪と相互に噛み合う外環ギアを設置することを特徴とする自転車クランク軸の伝動構造。
【請求項２】
前記クランク軸は、リングを設置して伝動輪を枢設することを特徴とする請求項１記載の自転車クランク軸の伝動構造。
【請求項３】
前記伝動輪は、一個以上を平均して設置することを特徴とする請求項１記載の自転車クランク軸の伝動構造。
【考案の詳細な説明】
【技術分野】
【０００１】
本考案は、自転車クランク軸の伝動構造に関するものである。
【背景技術】
【０００２】
自転車の駆動力は、主に騎乗者が脚でペダルを踏み、クランク軸を回転させることから発生する。更にその一端に嵌合したギア盤、チェーン及び整速輪が回転して運転される。走行速度は、ギア盤と整速輪のギア比が前者は大きく(ギア数が多い)、後者は小さい(ギア数が少ない)と言う配置比例に基づく。ペダルを踏む力を省力化するには、ギア盤の直径を縮小するが、小さすぎると、走行速度が下がり、騎乗者のペダル回転数を増やして速度の要求を満たさなければならない。このため、従来の単一速度の自転車は一定サイズ規格の制限がある。
【考案の開示】
【考案が解決しようとする課題】
【０００３】
解決しようとする問題点は、ペダル踏みを省力化するために、ギア盤の直径を小さくすると、走行速度が下がってしまう点である。
【課題を解決するための手段】
【０００４】
本考案は、五通管内に内環ギアを設置し、五通管内のクランク軸上に内環ギアを設置し、その五通管内のクランク軸上に内環ギアを対応させた位置には、可動枢設する伝動輪と内環ギアを相互に噛み合せる。またクランク軸の一端の軸桿上には可動枢設するギア盤固定台を設置し、そのギア盤固定台上には伝動輪と相互に噛み合う外環ギアを設置する。クランク軸上に設置した伝動輪は、クランク軸が回転すると、ギア盤固定台の外環ギアと五通管内の内環ギアのギア数比が異なることによって、ギア盤固定台の回転速度を高め、ギア盤の直径を小さくしても高速回転し、且つペダル踏みを省力化することを最も主要な特徴とする。
【考案の効果】
【０００５】
本考案の自転車クランク軸の伝動構造は、ギア盤固定台の回転速度を高め、ギア盤の直径を小さくしても高速回転し、且つペダル踏みを省力化するという利点がある。
【考案を実施するための最良の形態】
【０００６】
図１から図４に示すとおり、本考案は、五通管１０内に内環ギア１１を設置し、五通管１０内のクランク軸２０上に内環ギア１１を対応させ、可動回転する伝動輪３０と内環ギア１１を相互に噛み合せる（本実施例中の伝動輪３０は、両対称に設置）。この伝動輪３０は、クランク軸２０上のリング２１周辺縁上の穿孔２１０から軸栓３１で枢設する。それをリング２１から僅かに突出させる。またクランク軸２０の一端の軸桿２２上には、可動回転するギア盤固定台４０を設置する。このギア盤固定台４０上に、伝動輪３０と相互に噛み合う外環ギア４１を設置し、その外環ギア４１の外側端にネジ紋４２を成形し、ギア盤５０ａを螺設する。これによって、クランク軸２０上に枢設した伝動輪３０が回転する時、ギア盤固定台４０の外環ギア４１と五通管１０内の内環ギア１１の歯数比が異なることによって、五通管１０内の内環ギア１１の歯数がギア盤固定台４０の外環ギア４１より多くなり、これによって、クランク軸２０上の伝動輪３０がギア盤固定台４０の回転速度を高め、ギア盤５０ａの直径が小さくても、高回転数でペダルを踏む力を節約する。
【０００７】
図３，４に示すとおり、クランク軸２０が回転すると、リング２１の周辺縁の可動枢設した伝動輪３０が五通管１０内の内環ギア１１と相互に噛み合い、内環ギア１１上で回転し、同時にクランク軸２０上のギア盤固定台４０と同方向に回転し、五通管１０内の内環ギア１１の歯数がギア盤固定台４０の外輪ギア４１より多いことから、ギア盤固定台４０の回転速度が高まり、これにより、同じペダル踏み数の条件下で、小さなギア盤５０ａと歯数でも元の大ギア盤５０ｂの歯数にかかる回転数比を得る(図３参照)。ギア盤５０ｂ規格を小さくしても、ペダル踏みの省力化を得る(ギア盤が小さいほどクランク軸にかかる力は軽くなる)ことができる。
【産業上の利用可能性】
【０００８】
本考案は、小型もしくは折畳式自転車にも適用できる。
【図面の簡単な説明】
【０００９】
【図１】本考案の立体分解図である。
【図２】本考案の立体組立図である。
【図３】本考案の組立断面指示図である。
【図４】図３の４−４の断面指示図である。
【符号の説明】
【００１０】
１０        五通管
１１        内環ギア
２０        クランク軸
２１        リング
２１０        穿孔
２２        軸桿
３０        伝動輪
３１        軸栓
４０        ギア盤固定台
４１        外環ギア
４２        ネジ紋
５０ａ        ギア盤
５０ｂ        ギア盤
【図１】
0003117667.tif 000003
【図２】
0003117667.tif 000004
【図３】
0003117667.tif 000005
【図４】
0003117667.tif 000006
(57)【要約】【課題】振動によって容器の内部の装飾具の形が崩れてしまうことがなく、また、乾燥させた装飾具に限定されずに生花などをそのまま装飾具として容器に封入することができ、長期間にわたって美観を損ねることのない装飾置物を提供すること。【解決手段】本考案では、透明の容器の開口部に装飾具を透明の樹脂で封止した装飾置物であって、容器の開口部は、底から開口端縁に向けて漸次拡開した形状とした。特に、前記装飾具と容器の内壁面との間に前記樹脂を介在させた。また、前記樹脂は、前記容器の開口端縁よりも低い位置まで封入した。【選択図】      図１
0003117666.tif 000002
【実用新案登録請求の範囲】
【請求項１】
透明の容器の開口部に装飾具を透明の樹脂で封止した装飾置物であって、容器の開口部は、底から開口端縁に向けて漸次拡開した形状としたことを特徴とする装飾置物。
【請求項２】
前記装飾具と容器の内壁面との間に前記樹脂を介在させたことを特徴とする請求項１に記載の装飾置物。
【請求項３】
前記樹脂は、前記容器の開口端縁よりも低い位置まで封入したことを特徴とする請求項１又は請求項２に記載の装飾置物。
【考案の詳細な説明】
【技術分野】
【０００１】
本考案は、装飾置物に関するものである。
【背景技術】
【０００２】
従来の装飾性を有する置物としては、たとえば特許文献１に開示されているように、透明の容器の内部にドライフラワーを載置したものが知られている。
【０００３】
この従来の装飾置物は、容器の内部にドライフラワーをただ単に静置したり、或いは、容器の底にドライフラワーを接着したりしていた。
【特許文献１】特開２００１−３３４７９７号公報
【考案の開示】
【考案が解決しようとする課題】
【０００４】
ところが、上記従来の装飾置物では、容器の内部にドライフラワーが強固に固定されていないために、振動などによってドライフラワーの形が崩れてしまい、美観を損ねるおそれがあった。
【０００５】
また、従来の装飾置物では、長期間にわたって装飾的な効果を維持するために、生花を乾燥させたドライフラワーが用いられていたために、その製造に労力や時間を要していた。
【課題を解決するための手段】
【０００６】
そこで、請求項１に係る本考案では、透明の容器の開口部に装飾具を透明の樹脂で封止した装飾置物であって、容器の開口部は、底から開口端縁に向けて漸次拡開した形状にした。
【０００７】
また、請求項２に係る本考案では、前記請求項１に係る本考案において、前記装飾具と容器の内壁面との間に前記樹脂を介在させることにした。
【０００８】
また、請求項３に係る本考案では、前記請求項１又は請求項２に係る本考案において、前記樹脂は、前記容器の開口端縁よりも低い位置まで封入することにした。
【考案の効果】
【０００９】
そして、本考案では、以下に記載する効果を奏する。
【００１０】
すなわち、請求項１に係る本考案では、透明の容器の開口部に装飾具を透明の樹脂で封止した装飾置物であるために、振動によって容器の内部の装飾具の形が崩れてしまうことがなく、また、乾燥させた装飾具に限定されずに生花などをそのまま装飾具として容器に封入することができる。
【００１１】
特に、容器の開口部を底から開口端縁に向けて漸次拡開した形状にしているために、容器の内壁面に沿って樹脂が膨張することになるので、樹脂の熱膨張によって容器が破損してしまうのを未然に防止することができる。
【００１２】
また、請求項２に係る本考案では、装飾具と容器の内壁面との間に樹脂を介在させているために、装飾具の外周部が容器の内壁面に突き当たって平面的に変形してしまうことがなく、装飾具の立体形状を保持することができるので、装飾置物の美観を向上させることができる。
【００１３】
また、請求項３に係る本考案では、容器の開口端縁よりも低い位置まで樹脂を封入することにしているために、樹脂の熱膨張によって樹脂が容器の開口端縁から迫り出して美観を損ねてしまうのを未然に防止することができる。
【考案を実施するための最良の形態】
【００１４】
以下に、本発明に係る装飾置物の具体的な構造について図面を参照しながら説明する。
【００１５】
本発明に係る装飾置物１は、図１〜図３に示すように、透明のガラス製のグラス状の容器２の上部に開口部３を形成し、この開口部３に装飾具４を透明の樹脂５で封止したものである。なお、容器２や樹脂５は、透明であればよく、無色透明に限られず、有色透明であってもよい。
【００１６】
装飾具４としては、生花であってもよく、また、ドライフラワーでもよく、草花に限られず記念品などであってもよい。
【００１７】
容器２の開口部３は、底６から開口端縁７に向けて漸次拡開した略円錐形状としている。この容器２の開口部３は、内壁面８が底６から開口端縁７に向けて漸次拡開した形状となっていればよく、直線的に広がる形状に限られず曲線的に広がる形状であってもよい。
【００１８】
装飾置物１では、容器２の開口部３に装飾具４を樹脂５で封止しており、装飾具４と容器２の開口部３の内壁面８との間にも樹脂５を封入し、さらには、容器２の開口部３の開口端縁７よりも低い位置まで樹脂５を封入している。
【００１９】
これにより、装飾具４は、周囲が完全に樹脂５で封止された状態となっている。そのため、装飾具４が樹脂５から露出しておらず、装飾具４が酸化によって劣化することがないようにしている。
【００２０】
以上に説明したように、上記構成の装飾置物１では、透明の容器２の開口部３に装飾具４を透明の樹脂５で封止しているために、振動によって容器２の内部の装飾具４の形が崩れてしまうことがなく、また、乾燥させた装飾具４に限定されずに生花などをそのまま装飾具４として容器２に封入することができる。
【００２１】
そのため、装飾具４として適用されるものに制限がなくなり、好みによって様々なものを装飾具４として用いることができる。
【００２２】
また、上記装飾置物１では、容器２の開口部３を底６から開口端縁７に向けて漸次拡開した形状にしているために、容器２の内壁面８に沿って樹脂５が膨張することになるので、樹脂５の熱膨張によって容器２に集中して応力が作用することがなくなり、容器２が破損してしまうのを未然に防止することができる。
【００２３】
また、上記装飾置物１では、装飾具４と容器２の内壁面８との間に樹脂５を介在させているために、装飾具４の外周部が容器２の内壁面８に突き当たって平面的に変形してしまうことがなく、装飾具４の立体形状を保持することができるので、装飾置物１の美観を向上させることができる。
【００２４】
また、上記装飾置物１では、容器２の開口端縁７よりも低い位置まで樹脂５を封入することにしているために、樹脂５の熱膨張によって樹脂５が容器２の開口端縁７から迫り出して美観を損ねてしまうのを未然に防止することができる。
【図面の簡単な説明】
【００２５】
【図１】本考案に係る装飾置物を示す正面図。
【図２】同平面図。
【図３】同部分拡大断面図。
【符号の説明】
【００２６】
１  装飾置物
２  容器
３  開口部
４  装飾具
５  樹脂
６  底
７  開口端縁
８  内壁面
【図１】
0003117666.tif 000003
【図２】
0003117666.tif 000004
【図３】
0003117666.tif 000005